(57)【要約】【課題】配送先情報の緊急度や優先度に応じて、宛先情報の取り扱う順番を変更することのできる技術を提供すること。【解決手段】  複数の送信装置１１０から宛先情報を受信装置１３０に送信する前に、送信装置１１０は、宛先情報の優先度や緊急度を決定するための積荷情報を受信装置１３０に送信し、当該受信装置１３０は、受信した積荷情報により優先度が高いものから順に送信装置１１０から宛先情報を受信するようにする。【選択図】図１
2008301416.tif 000002
【特許請求の範囲】
【請求項１】
複数の送信装置から第一の情報を受信装置に送信する通信システムであって、
前記送信装置は、前記第一の情報を送信する優先度を決定するための第二の情報を前記受信装置に送信し、
前記受信装置は、前記第二の情報により優先度が高いものから順に前記第一の情報を前記送信装置から受信すること、
を特徴とする通信システム。
【請求項２】
請求項１に記載の通信システムであって、
前記第一の情報は、荷物の宛先及び内容を特定する情報であり、
前記第二の情報には、前記荷物の到着時刻を特定する情報が含まれており、
前記受信装置は、前記到着時刻が現時刻に近いものから順に優先度が高いものとすること、
を特徴とする通信システム。
【請求項３】
請求項１に記載の通信システムであって、
前記第一の情報は、荷物の宛先及び内容を特定する情報であり、
前記第二の情報には、前記荷物の数を特定する情報が含まれており、
前記受信装置は、前記数が多いものから順に優先度が高いものとすること、
を特徴とする通信システム。
【請求項４】
請求項１に記載の通信システムであって、
前記受信装置は、前記第二の情報により前記第一の情報の緊急度が高いとされた場合には、既に接続されている前記送信装置の接続を切断し、緊急度が高いとされた前記第一の情報を受信するようにすること、
を特徴とする通信システム。
【請求項５】
請求項４に記載の通信システムであって、
前記受信装置は、既に接続されている前記送信装置のうち、最後に前記受信装置に接続した送信装置との接続を切断すること、
を特徴とする通信システム。
【請求項６】
請求項１に記載の通信システムであって、
前記受信装置は、
通信を行っている前記送信装置との接続数が予め定められた数に達している場合に、前記第二の情報を前記送信装置のアドレス情報に対応させて記憶しておき、
通信を行っている前記送信装置との接続数が予め定められた数よりも少なくなった際に、前記第二の情報により優先度が高いものから順に前記第一の情報を前記送信装置から受信すること、
を特徴とする通信システム。
【請求項７】
請求項１に記載の通信システムであって、
前記受信装置には、前記送信装置と通信を行うための通信部が複数設けられており、複数も受けられた前記通信部は、通常の通信行うための通信部と、緊急の通信を行うための通信部と、に予め分けられており、
前記受信装置は、前記第二の情報により前記第一の情報の緊急度が高いと判断した場合には、前記緊急の通信を行うための通信部を用いて前記第一の情報を受信すること、
を特徴とする通信システム。
【請求項８】
複数の送信装置から第一の情報を受信する受信装置であって、
前記送信装置より、前記第一の情報を送信する優先度を決定するための第二の情報を受信し、
前記第二の情報により優先度が高いものから順に前記第一の情報を前記送信装置から受信する処理を行う制御部を備えること、
を特徴とする受信装置。
【請求項９】
請求項８に記載の受信装置であって、
前記第一の情報は、荷物の宛先及び内容を特定する情報であり、
前記第二の情報には、前記荷物の到着時刻を特定する情報が含まれており、
前記制御部は、前記到着時刻が現時刻に近いものから順に優先度が高いものと判断すること、
を特徴とする受信装置。
【請求項１０】
請求項８に記載の受信装置であって、
前記第一の情報は、荷物の宛先及び内容を特定する情報であり、
前記第二の情報には、前記荷物の数を特定する情報が含まれており、
前記制御部は、前記数が多いものから順に優先度が高いものとすること、
を特徴とする受信装置。
【請求項１１】
請求項８に記載の受信装置であって、
前記制御部は、前記第二の情報により前記第一の情報の緊急度が高いとされた場合には、既に接続されている前記送信装置の接続を切断し、緊急度が高いとされた前記第一の情報を受信するようにすること、
を特徴とする受信装置。
【請求項１２】
請求項１１に記載の受信装置であって、
前記制御部は、既に接続されている前記送信装置のうち、最後に前記受信装置に接続した送信装置との接続を切断すること、
を特徴とする通信システム。
【請求項１３】
請求項８に記載の受信装置であって、
前記制御部は、
通信を行っている前記送信装置との接続数が予め定められた数に達している場合に、前記第二の情報を前記送信装置のアドレス情報に対応させて記憶しておき、
通信を行っている前記送信装置との接続数が予め定められた数よりも少なくなった際に、前記第二の情報により優先度が高いものから順に前記第一の情報を前記送信装置から受信すること、
を特徴とする受信装置。
【請求項１４】
請求項８に記載の受信装置であって、
前記受信装置には、前記送信装置と通信を行うための通信部が複数設けられており、複数も受けられた前記通信部は、通常の通信行うための通信部と、緊急の通信を行うための通信部と、に予め分けられており、
前記制御部は、前記第二の情報により前記第一の情報の緊急度が高いと判断した場合には、前記緊急の通信を行うための通信部を用いて前記第一の情報を受信すること、
を特徴とする受信装置。
【請求項１５】
複数の送信装置から第一の情報を受信装置に送信する通信システムにおいて、前記送信装置と前記受信装置との間の通信を中継する中継装置であって、
前記第一の情報を送信する優先度を決定するための第二の情報を前記送信装置から受信し、
前記第二の情報により優先度が高い前記第一の情報を送信する前記送信装置から順に前記受信装置に接続する制御部を備えること、
を特徴とする中継装置。
【請求項１６】
請求項１５に記載の中継装置であって、
前記第一の情報は、荷物の宛先及び内容を特定する情報であり、
前記第二の情報には、前記荷物の到着時刻を特定する情報が含まれており、
前記制御部は、前記到着時刻が現時刻に近いものから順に優先度が高いものとすること、
を特徴とする中継装置。
【請求項１７】
請求項１５に記載の中継装置であって、
前記第一の情報は、荷物の宛先及び内容を特定する情報であり、
前記第二の情報には、前記荷物の数を特定する情報が含まれており、
前記制御部は、前記数が多いものから順に優先度が高いものとすること、
を特徴とする中継装置。
【請求項１８】
請求項１５に記載の中継装置であって、
前記制御部は、前記第二の情報により前記第一の情報の緊急度が高いとされた場合には、既に接続されている前記送信装置の接続を切断し、緊急度が高いとされた前記第一の情報を受信するようにすること、
を特徴とする中継装置。
【請求項１９】
請求項１８に記載の通信システムであって、
前記制御部は、既に接続されている前記送信装置のうち、最後に前記受信装置に接続した送信装置との接続を切断すること、
を特徴とする中継装置。
【請求項２０】
請求項１５に記載の中継装置であって、
前記制御部は、
通信を行っている前記送信装置との接続数が予め定められた数に達している場合に、前記第二の情報を前記送信装置のアドレス情報に対応させて記憶しておき、
通信を行っている前記送信装置との接続数が予め定められた数よりも少なくなった際に、前記第二の情報により優先度が高い前記第一の情報を送信する前記送信装置から順に前記受信装置に接続すること、
を特徴とする中継装置。
【請求項２１】
請求項１５に記載の中継装置であって、
前記受信装置には、前記送信装置と通信を行うための通信部が複数設けられており、複数も受けられた前記通信部は、通常の通信行うための通信部と、緊急の通信を行うための通信部と、に予め分けられており、
前記制御部は、前記第二の情報により前記第一の情報の緊急度が高いと判断した場合には、前記緊急の通信を行うための通信部に前記送信装置を接続すること、
を特徴とする中継装置。
【請求項２２】
複数の送信装置から第一の情報を受信装置に送信する通信システムにおける通信方法であって、
前記送信装置が、前記第一の情報を送信する優先度を決定するための第二の情報を前記受信装置に送信する過程と、
前記受信装置が、前記第二の情報により優先度が高いものから順に前記第一の情報を前記送信装置から受信する過程と、
を備えることを特徴とする通信方法。
【発明の詳細な説明】
【技術分野】
【０００１】
本発明は、送信装置から受信装置に情報を送信する技術に関する。
【背景技術】
【０００２】
郵便や宅配等の物流システムにおいては、集荷場所に設置された送信装置から配送場所に設置された受信装置に向けて、配送先や荷物の内容等の宛先情報を事前に電子的手段により送信し、配送場所に設置された受信装置で事前に配送経路を決定するシステムが存在する。
【０００３】
このようなシステムにおいて、送信装置から受信装置に宛先情報を送付する際に、当該受信装置が他の送信装置と通信を実施しており、宛先情報の受信に失敗してしまうことがある。
【０００４】
この点、特許文献１に記載の技術は、送信装置と受信装置の間に中継装置を置き、受信装置が配送先情報を受信できない場合に中継装置が送信装置から宛先情報を預かることで、受信装置と他の送信装置との通信が終了した際に、当該中継装置より宛先情報を受信装置がダウンロードするようにしている。
【０００５】
【特許文献１】特開２００６−３１１０１２公報
【発明の開示】
【発明が解決しようとする課題】
【０００６】
しかしながら、宛先情報には、到着時間が切迫していたり、大量の荷物があったり、といったように緊急又は優先して処理しなければならない情報があり、特許文献１に記載の技術ではこのような処理に対応することはできない。
【０００７】
そこで、本発明は、配送先情報の緊急度や優先度に応じて、宛先情報の取り扱う順番を変更することのできる技術を提供することを目的とする。
【課題を解決するための手段】
【０００８】
以上の課題を解決するために、本発明は、宛先情報を送信する前に、緊急度や優先度を判断するための情報を送信装置から受信装置に送信する。
【０００９】
例えば、本発明は、複数の送信装置から第一の情報を受信装置に送信する通信システムであって、前記送信装置は、前記第一の情報を送信する優先度を決定するための第二の情報を前記受信装置に送信し、前記受信装置は、前記第二の情報により優先度が高いものから順に前記第一の情報を前記送信装置から受信すること、を特徴とする。
【発明の効果】
【００１０】
以上のように、本発明によれば、配送先情報の緊急度や優先度に応じて、配送先情報の取り扱う順番を変更することができる。
【発明を実施するための最良の形態】
【００１１】
図１は、本発明の第一の実施形態である通信システム１００の概略図である。
【００１２】
図示するように、通信システム１００は、送信装置１１０（各々を区別する場合には、送信装置１１０Ａ、送信装置１１０Ｂとする）と、中継装置１２０と、受信装置１３０と、緊急性判定装置１４０と、Ｌｉｓｔ記憶装置１５０と、を備えている。
【００１３】
なお、送信装置１１０、中継装置１２０及び受信装置１３０は、ネットワーク１６０を介して情報の送受信を行うことができるようにされており、受信装置１３０、Ｌｉｓｔ記憶装置１４０及び緊急性判定装置１５０は、ＬＡＮ（Local Area Network）１６１を介して情報の送受信を行うことができるようにされている。
【００１４】
ここで、送信装置１１０は郵便物、荷物等の配送物の集荷場に設置し、受信装置１３０は郵便物等の配送場に設置することが望ましい。
【００１５】
図２は、送信装置１１０の概略図である。
【００１６】
図示するように、送信装置１１０は、記憶部１１１と、制御部１１２と、入力部１１３と、出力部１１４と、通信部１１５と、を備える。
【００１７】
記憶部１１１は、宛先情報記憶領域１１１ａを備える。
【００１８】
宛先情報記憶領域１１１ａには、送信装置１１０が設置されている集荷場から、受信装置１３０が設置されている配送場に送る配送物の宛先、送信元及び重量等の内容を特定する情報が各々の配送物毎に記憶される。
【００１９】
具体的には、宛先情報記憶領域１１１ａには、図３（宛先情報１１６ａの概略図）に示すような宛先情報１１６ａが各々の配送物毎に記憶される。
【００２０】
図示するように、宛先情報１１６ａには、配送物の宛先などの情報が、例えば、画像データ等で読み取られており、データ量が多いため、送信装置１１０から受信装置１３０に送信するのに多大な時間を要する場合が多い。
【００２１】
図２に戻り、制御部１１２は、通信制御部１１２ａと、積荷情報生成部１１２ｂと、を備える。
【００２２】
通信制御部１１２ａは、後述する通信部１１５を介して情報を送受信する処理を制御する。
【００２３】
特に、本実施形態においては、通信制御部１１２ａは、ＳＩＰ（Session Initiation Protocol）に従った呼制御に必要な処理を行う。
【００２４】
なお、ここでは、通信制御部１１２ａは、ＳＩＰのＩｎｖｉｔｅメッセージに後述する積荷情報を付加又は添付して、中継装置１２０に送信する。
【００２５】
さらに、本実施形態においては、通信制御部１１２ａは、中継装置１２０から予め定められたメッセージ（ここでは、Ｎｏｔｉｆｙメッセージ）を通信部１１５を介して受信した場合には、４８６  Ｂｕｓｙメッセージにより通信できなかった受信装置１３０に対して、再び、ＳＩＰに従った呼要求（Ｉｎｖｉｔｅメッセージ）を行う。
【００２６】
そして、通信制御部１１２ａは、受信装置１３０との間の通信が確立すると、宛先情報記憶領域１１１ａに記憶されている宛先情報１１６ａを送信装置１３０に送信する。
【００２７】
積荷情報生成部１１２ｂは、集荷場から配送場に配送する配送物の概要を特定する情報である積荷情報を、集荷場から配送場に配送物をまとめて配送する毎に生成する。
【００２８】
例えば、本実施形態においては、積荷情報生成部１１２ｂは、図４（積荷情報テーブル１１６ｂの概略図）に示されている積荷情報テーブル１１６ｂを、集荷場から配送場に配送物をまとめて配送する毎に生成する。
【００２９】
図示するように、積荷情報テーブル１１６ｂは、集荷場欄１１６ｃと、配送場欄１１６ｄと、到達予想時刻欄１１６ｅと、荷物数欄１１６ｆと、を備える。
【００３０】
集荷場欄１１６ｃには、送信装置１１０が設置されている集荷場を識別する識別情報が格納される。
【００３１】
配送場欄１１６ｄには、受信装置１３０が設置されている配送場を識別する識別情報が格納される。
【００３２】
到達予想時刻欄１１６ｅには、集荷場から配送場にまとめて配送される配送物の到着予想時刻が格納される。ここで、本実施形態においては、到着予想時刻として、年、月、日及び時刻を特定する情報が格納される。なお、到着予想時刻については、予め定められた配送スケジュールで特定される情報を格納すればよい。
【００３３】
荷物数欄１１６ｆには、集荷場から配送場にまとめて配送される配送物の数を特定する情報が格納される。
【００３４】
図２に戻り、入力部１１３は、送信装置１１０のオペレータ等から情報の入力を受け付ける。
【００３５】
出力部１１４は、送信装置１１０のオペレータ等に対して情報を出力する。
【００３６】
通信部１１５は、ネットワーク１６０を介して情報の送受信を行う。
【００３７】
以上に記載した送信装置１１０は、例えば、図１０（コンピュータ１８０の概略図）に示すような、ＣＰＵ１８１と、メモリ１８２と、ＨＤＤ等の外部記憶装置１８３と、ＣＤ−ＲＯＭやＤＶＤ−ＲＯＭ等の可搬性を有する記憶媒体１８４から情報を読み出す読取装置１８５と、キーボードやマウスなどの入力装置１８６と、ディスプレイなどの出力装置１８７と、通信ネットワークに接続するためのＮＩＣ（Network Interface Card）等の通信装置１８８と、を備えた一般的なコンピュータ１８０で実現できる。
【００３８】
例えば、記憶部１１１は、ＣＰＵ１８１がメモリ１８２又は外部記憶装置１８３を利用することにより実現可能であり、制御部１１２は、外部記憶装置１８３に記憶されている所定のプログラムをメモリ１８２にロードしてＣＰＵ１８１で実行することで実現可能であり、入力部１１３は、ＣＰＵ１８１が入力装置１８６を利用することにより実現可能であり、出力部１１４は、ＣＰＵ１８１が出力装置１８７を利用することにより実現可能であり、通信部１１５は、ＣＰＵ１８１が通信装置１８８を利用することで実現可能である。
【００３９】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【００４０】
図５は、中継装置１２０の概略図である。
【００４１】
中継装置１２０は、記憶部１２１と、制御部１２２と、通信部１２３と、を備える。
【００４２】
記憶部１２１は、位置情報記憶領域１２１ａを備える。
【００４３】
位置情報記憶領域１２１ａには、中継装置１２０にレジスタされた各受信装置の電話番号（内線番号）と、位置情報（アドレス）と、を対応させたレジスタテーブル（図示せず）が記憶される。
【００４４】
制御部１２１は、呼制御部１２２ａを備える。
【００４５】
呼制御部１２２ａは、ＳＩＰに従った呼制御を行う。なお、この呼制御は、従来から行われているものであるため、詳細は省略する。
【００４６】
通信部１２３は、ネットワーク１６０を介して情報の送受信を行う。
【００４７】
以上に記載した送信装置１２０も、例えば、図１０に示すような一般的なコンピュータ１８０で実現できる。
【００４８】
例えば、記憶部１２１は、ＣＰＵ１８１がメモリ１８２又は外部記憶装置１８３を利用することにより実現可能であり、制御部１２２は、外部記憶装置１８３に記憶されている所定のプログラムをメモリ１８２にロードしてＣＰＵ１８１で実行することで実現可能であり、通信部１２３は、ＣＰＵ１８１が通信装置１８８を利用することで実現可能である。
【００４９】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【００５０】
図６は、受信装置１３０の概略図である。
【００５１】
図示するように、受信装置１３０は、記憶部１３１と、制御部１３２と、入力部１３３と、出力部１３４と、通信部１３５と、を備える。
【００５２】
記憶部１３１は、受信装置１３０での処理を行う際に必要な情報を記憶する。
【００５３】
制御部１３２は、通信制御部１３２ａと、ステータス判定部１３２ｂと、緊急性判定装置アクセス部１３３ｃと、Ｌｉｓｔ記憶装置アクセス部１３３ｄと、を備える。
【００５４】
通信制御部１３２ａは、受信装置１３０における通信処理全般を制御する。特に、本実施形態においては、送信装置１１０から中継装置１２０を介して接続要求を受信した際に、後述するステータス判定部１３２ｂを介して自装置の通信状況を確認し、後述する緊急性判定装置アクセス部１３３ｃを介して接続要求に付加又は添付されている集荷情報の緊急性を確認し、後述するＬｉｓｔ記憶装置アクセス部１３３ｄを介して、Ｌｉｓｔ記憶装置１５０に集荷情報の登録を要求し、さらに、後述するＬｉｓｔ記憶装置アクセス部１３３ｄを介して、Ｂｕｓｙ状態が解除された際に、Ｌｉｓｔ記憶装置１５０からアクセスすべき送信装置１１０のアドレス情報を取得する処理を行う。
【００５５】
具体的には、通信制御部１３２ａは、中継装置１２０を介して、送信装置１１０からＳＩＰのＩｎｖｉｔｅメッセージを受信した場合には、後述するステータス判定部１３２ｂにより、自装置がＢｕｓｙ状態であるか否かの判定を行う。
【００５６】
ステータス判定部１３２ｂによりＢｕｓｙ状態ではないと判定された場合には、通信制御部１３２ａは、通常のＳＩＰによる呼制御に従って、送信装置１１０との間の呼を確立する。
【００５７】
一方、ステータス判定部１３２ｂによりＢｕｓｙ状態であると判定された場合には、通信制御部１３２ａは、緊急性判定装置アクセス部１３３ｂにより、Ｉｎｖｉｔｅメッセージに付加又は添付されている積荷情報テーブル１１６ｂを緊急性判定装置１４０に送信し、その応答として、緊急性の判定結果を取得する。
【００５８】
そして、通信制御部１３２ａは、緊急性の判定結果として、緊急ではないとの判定結果を取得した場合には、Ｌｉｓｔ記憶装置アクセス部１３３ｄにより、積荷情報と、当該積荷情報を送信してきた送信装置１１０のアドレス情報と、をＬｉｓｔ記憶装置１５０に送信する処理を制御する。
【００５９】
一方、通信制御部１３２ａは、緊急性の判定結果として、緊急であるとの判定結果を取得した場合には、予め定められたアルゴリズムにしたがって、既に接続されている送信装置１１０との間の通信を切断し、切断した送信装置１１０のＩｎｖｉｔｅメッセージに付加又は添付されていた積荷情報テーブル１１６ｂと、切断した送信装置１１０のアドレス情報と、をＬｉｓｔ記憶装置アクセス部１３２ｄによりＬｉｓｔ記憶装置１５０に送信する処理を制御する。
【００６０】
また、通信制御部１３２ａは、送信装置１１０との通信が完了等して、Ｂｕｓｙ状態が解消されたとステータス判定部１３２ｂにより判定された場合には、アクセスすべき送信装置１１０のアドレス情報をＬｉｓｔ記憶装置アクセス部１３２ｄによりＬｉｓｔ記憶装置１５０から取得し、取得したアドレス情報で特定される送信装置１１０に呼を確立するように指示を出す。
【００６１】
例えば、本実施形態においては、通信制御部１３２ａは、ＳＩＰにおけるＮｏｔｉｆｙメッセージを送信装置１１０に送信することで、送信装置１１０との間の通信を確立する。
【００６２】
ステータス判定部１３２ｂは、通信制御部１３２ａの指示により、自装置で行っている通信がＢｕｓｙ状態であるか否かを判定する。
【００６３】
具体的には、ステータス判定部１３２ｂは、自装置に接続されている送信装置１１０の数をカウントしており、この接続数が予め定められたしきい値である最大接続数に至っている場合には、Ｂｕｓｙ状態であると判定する。
【００６４】
緊急性判定装置アクセス部１３２ｃは、通信制御部１３２ａの指示により、通信部１３５を介して、積荷情報テーブル１１６ｂを特定した緊急性の判定要求を緊急性判定装置１４０に送信し、その応答として緊急性の判定結果を受信し、通信制御部１３２ａに出力する。
【００６５】
Ｌｉｓｔ記憶装置アクセス部１３２ｄは、通信制御部１３２ａの指示により、積荷情報テーブル１１６ｂと、当該積荷情報テーブル１１６ｂを送信してきた送信装置１１０のアドレス情報と、を特定した登録要求を、通信部１３５を介して、Ｌｉｓｔ記憶装置１５０に送信する。
【００６６】
また、Ｌｉｓｔ記憶装置アクセス部１３２ｄは、通信制御部１３２ａの指示により、接続すべき送信装置１１０のアドレス情報を取得する取得要求を、通信部１３５を介して、Ｌｉｓｔ記憶装置１５０に送信し、その応答として受信したアドレス情報を通信制御部１３２ａに出力する。
【００６７】
入力部１３３は、受信装置１３０のオペレータ等から情報の入力を受け付ける。
【００６８】
出力部１３４は、受信装置１３０のオペレータ等に対して情報を出力する。
【００６９】
通信部１３５は、ネットワーク１６０及びＬＡＮ１６１を介して、情報の送受信を行う。
【００７０】
以上に記載した受信装置１３０も、例えば、図１０に示すような一般的なコンピュータ１８０で実現できる。
【００７１】
例えば、記憶部１３１は、ＣＰＵ１８１がメモリ１８２又は外部記憶装置１８３を利用することにより実現可能であり、制御部１３２は、外部記憶装置１８３に記憶されている所定のプログラムをメモリ１８２にロードしてＣＰＵ１８１で実行することで実現可能であり、入力部１３３は、ＣＰＵ１８１が入力装置１８６を利用することにより実現可能であり、出力部１３４は、ＣＰＵ１８１が出力装置１８７を利用することにより実現可能であり、通信部１３５は、ＣＰＵ１８１が通信装置１８８を利用することで実現可能である。
【００７２】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【００７３】
図７は、緊急性判定装置１４０の概略図である。
【００７４】
図示するように、緊急性判定装置１４０は、記憶部１４１と、制御部１４２と、入力部１４３と、出力部１４４と、通信部１４５と、を備える。
【００７５】
記憶部１４１には、緊急性判定装置１４０での処理に必要な情報が記憶される。特に、本実施形態においては、緊急性を判定するためのしきい値となる情報が格納される。
【００７６】
制御部１４２は、通信制御部１４２ａと、緊急性判定部１４２ｂと、を備える。
【００７７】
通信制御部１４２ａは、ＬＡＮ１６１を介した通信全般を制御する。特に、本実施形態では、ＬＡＮ１６１を介して受信装置１３０より受信した積荷情報テーブル１１６ｂを緊急性判定部１４２ｂに出力し、また、緊急性判定部１４２ａで判定した結果を、ＬＡＮ１６１を介して、受信装置１３０に送信する。
【００７８】
緊急性判定部１４２ｂは、通信制御部１４２ａより入力した積荷情報テーブル１１６ｂに基づいて、緊急性を判定する。
【００７９】
ここで、本実施形態においては、例えば、積荷情報テーブル１１６ｂの到着予想時刻欄１１６ｅに格納されている到着予想時刻で特定される日時が、予め定められた日時よりも現在の日時に近く、かつ、荷物欄１１６ｆに格納されている荷物数が、予め定められた荷物数よりも多い場合に、緊急性判定部１４２ｂは、緊急であると判定する。
【００８０】
入力部１４３は、緊急性判定装置１４０のオペレータ等から情報の入力を受け付ける。
【００８１】
出力部１４４は、緊急性判定装置１４０のオペレータ等に対して情報を出力する。
【００８２】
通信部１４５は、ＬＡＮ１６１を介して、情報の送受信を行う。
【００８３】
以上に記載した緊急性判定装置１４０も、例えば、図１０に示すような一般的なコンピュータ１８０で実現できる。
【００８４】
例えば、記憶部１４１は、ＣＰＵ１８１がメモリ１８２又は外部記憶装置１８３を利用することにより実現可能であり、制御部１４２は、外部記憶装置１８３に記憶されている所定のプログラムをメモリ１８２にロードしてＣＰＵ１８１で実行することで実現可能であり、入力部１４３は、ＣＰＵ１８１が入力装置１８６を利用することにより実現可能であり、出力部１４４は、ＣＰＵ１８１が出力装置１８７を利用することにより実現可能であり、通信部１４５は、ＣＰＵ１８１が通信装置１８８を利用することで実現可能である。
【００８５】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【００８６】
図８は、Ｌｉｓｔ記憶装置１５０の概略図である。
【００８７】
図示するように、Ｌｉｓｔ記憶装置１５０は、記憶部１５１と、制御部１５２と、入力部１５３と、出力部１５４と、通信部１５５と、を備える。
【００８８】
記憶部１５１は、ＣａｌｌＷａｉｔｉｎｇＬｉｓｔ記憶領域１５１ａを備える。
【００８９】
ＣａｌｌＷａｉｔｉｎｇＬｉｓｔ記憶領域１５１ａは、受信装置１３０からＬＡＮ１６１を介して受信した積荷情報テーブル１１６ｂと、当該積荷情報テーブル１１６ｂの送信元である送信装置１１０のアドレス情報と、を対応させて記憶する
例えば、本実施形態においては、ＣａｌｌＷａｉｔｉｎｇＬｉｓｔ記憶領域１５１ａは、図９（ＣａｌｌＷａｉｔｉｎｇＬｉｓｔテーブル１５６ａの概略図）に示すようなＣａｌｌＷａｉｔｉｎｇＬｉｓｔテーブル１５６ａが、配送場毎に記憶される。
【００９０】
ＣａｌｌＷａｉｔｉｎｇＬｉｓｔテーブル１５６ａは、配送Ｎｏ欄１５６ｂと、集荷場欄１５６ｃと、配送装置ＩＰアドレス欄１５６ｄと、到着予想時刻欄１５６ｅと、荷物数欄１５６ｆと、を備える。
【００９１】
配送Ｎｏ欄１５６ｂには、後述する送信装置ＩＰアドレス欄１５６ｄに格納されるＩＰアドレスによって特定される送信装置１１０への接続順序を特定する情報が格納される。
【００９２】
ここで、本実施形態においては、接続順序を１から順に自然数で特定するようにしている。
【００９３】
なお、この接続順序については、後述するＣａｌｌＷａｉｔｉｎｇＬｉｓｔ編集部１５２ｂが予め定められたアルゴリズムより決定し、接続順序の早い順位にソート処理を行い、接続順序の早いものから順にテーブルの上方に配置されるようにしている。
【００９４】
集荷場欄１５６ｃには、送信装置１１０が設置されている集荷場を識別する識別情報が格納される。なお、本欄には、積荷情報テーブル１１６ｂの集荷場欄１６ｃに格納されている情報が格納される。
【００９５】
配送装置ＩＰアドレス欄１５６ｄには、積荷情報テーブル１１６ｂと共に送られてきた送信装置１１０のＩＰアドレスが格納される。
【００９６】
到着予想時刻欄１５６ｅには、集荷場から配送場にまとめて配送される配送物の到着予想時刻が格納される。なお、本欄には、積荷情報テーブル１１６ｂの到達予想時刻欄１１６ｅに格納されている情報が格納される。
【００９７】
荷物数欄１５６ｆには、集荷場から配送場にまとめて配送される配送物の数を特定する情報が格納される。なお、本欄には、積荷情報テーブル１１６ｂの荷物数欄１１６ｆに格納されている情報が格納される。
【００９８】
図８に戻り、制御部１５２は、通信制御部１５２ａと、ＣａｌｌＷａｉｔｉｎｇＬｉｓｔ編集部１５２ｂと、アドレス情報処理部１５２ｃと、を備える。
【００９９】
通信制御部１５２ａは、Ｌｉｓｔ記憶装置１５０における通信処理全般を制御する。特に、本実施形態においては、通信部１５５を介して受信した積荷情報テーブル１１６ｂ及び送信装置１１０のアドレス情報をＣａｌｌＷａｉｔｉｎｇＬｉｓｔ編集部１５２ｂに出力し、また、アドレス情報処理部１５２ｃより出力されたアドレス情報を、通信部１５５を介して、受信装置１３０に送信する処理を行う。
【０１００】
ＣａｌｌＷａｉｔｉｎｇＬｉｓｔ編集部１５２ｂは、通信部１５５を介して受信した積荷情報テーブル１１６ｂ及び送信装置１１０のアドレス情報を、ＣａｌｌＷａｉｔｉｎｇＬｉｓｔテーブル１５６ａに格納する処理を行う。
【０１０１】
ここで、ＣａｌｌＷａｉｔｉｎｇＬｉｓｔ編集部１５２ｂは、通信部１５５を介して受信した積荷情報テーブル１１６ｂに格納されている情報から優先度を判断し、当該優先度に応じた配送Ｎｏを割り振り、ＣａｌｌＷａｉｔｉｎｇＬｉｓｔテーブル１５６ａに格納する。
【０１０２】
なお、優先度については、到着予想時刻が現在の時刻に近いものほど優先度が高くなるようにする。
【０１０３】
アドレス情報処理部１５２ｃは、受信装置１３０からのアドレス情報の取得要求に対して、ＣａｌｌＷａｉｔｉｎｇＬｉｓｔテーブル１５６ａにおいて最も優先順位の高いもの、即ち、配送Ｎｏの最も若い番号のもの（ＣａｌｌＷａｉｔｉｎｇＬｉｓｔテーブル１５６ａの最上行に格納されているもの）の送信装置ＩＰアドレス欄１５６ｄに格納されているＩＰアドレスを取得して、アドレス情報として、通信部１５５を介して受信装置１３０に送信する処理を行う。
【０１０４】
入力部１５３は、Ｌｉｓｔ記憶装置１５０のオペレータ等から情報の入力を受け付ける。
【０１０５】
出力部１５４は、Ｌｉｓｔ記憶装置１５０のオペレータ等に対して情報を出力する。
【０１０６】
通信部１５５は、ＬＡＮ１６１を介して、情報の送受信を行う。
【０１０７】
以上に記載したＬｉｓｔ記憶装置１５０も、例えば、図１０に示すような一般的なコンピュータ１８０で実現できる。
【０１０８】
例えば、記憶部１５１は、ＣＰＵ１８１がメモリ１８２又は外部記憶装置１８３を利用することにより実現可能であり、制御部１５２は、外部記憶装置１８３に記憶されている所定のプログラムをメモリ１８２にロードしてＣＰＵ１８１で実行することで実現可能であり、入力部１５３は、ＣＰＵ１８１が入力装置１８６を利用することにより実現可能であり、出力部１５４は、ＣＰＵ１８１が出力装置１８７を利用することにより実現可能であり、通信部１５５は、ＣＰＵ１８１が通信装置１８８を利用することで実現可能である。
【０１０９】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０１１０】
図１１は、以上のように構成される通信システム１００において第一の処理を行う際のシーケンス図である。
【０１１１】
ここで、第一の処理は、受信装置１３０が他の多くの送信装置１１０と通信中であり、かつ、新しく呼要求を行う送信装置１１０Ａからの通信が緊急ではない場合の処理である。
【０１１２】
まず、送信装置１１０Ａの通信制御部１１２ａは、通信部１１５を介して、ＳＩＰのＩｎｖｉｔｅメッセージを中継装置１２０に送信する（Ｓ１０１０）。ここで、送信装置１１０Ａから送信するＩｎｖｉｔｅメッセージには、積荷情報生成部１１２ｂが生成した積荷情報テーブル１１６ｂを積荷情報として付加又は添付する。
【０１１３】
そして、このようなＩｎｖｉｔｅメッセージを受信した中継装置１２０は、呼制御部１２２ａが、通信部１２３を介して、当該Ｉｎｖｉｔｅメッセージを受信装置１３０に転送する（Ｓ１０１１）。なお、転送するＩｎｖｉｔｅメッセージには、積荷情報を付加又は添付したままにする。
【０１１４】
転送されてきたＩｎｖｉｔｅメッセージを受信した受信装置１３０は、通信制御部１３２ａがステータス判定部１３２ｂに、ステータスの判定を指示し、このような指示を受けたステータス判定部１３２ｂは、ステータスの判定を行う（Ｓ１０１２）。ここで、本シーケンスでは、ステータス判定部１３２ｂは、自装置がＢｕｓｙ状態であると判定するものとする。
【０１１５】
そして、受信装置１３０の通信制御部１３２ａは、ステータス判定部１３２ｂでステータスがＢｕｓｙ状態であると判定された場合には、緊急性判定装置アクセス部１３２ｃに緊急性の判定を指示し、このような指示を受けた緊急性判定装置アクセス部１３２ｃは、中継装置１２０より転送されてきたＩｎｖｉｔｅメッセージに付加又は添付されてきた積荷情報を付加又は添付した緊急性の判定要求を緊急性判定装置１４０に送信する（Ｓ１０１３）。
【０１１６】
このような緊急性の判定要求を受信した緊急性判定装置１４０では、緊急性判定部１４２ｂで、積荷情報に基づいて緊急性の判定を行い（Ｓ１０１４）、その判定結果を通信制御部１４２ａが通信部１４５を介して、受信装置１３０に返信する（Ｓ１０１５）。なお、緊急性判定部１４２ｂでの、緊急性の判定は、例えば、積荷情報における到着予想時刻が予め定められた日時よりも現在の日時に近く、かつ、積荷情報における荷物数が、予め定められた荷物数よりも多い場合に緊急であると判定するものとし、本シーケンスでは、緊急ではないと判定したものとする。
【０１１７】
そして、判定結果を受信した受信装置１３０は、通信制御部１３２ａが、送信装置１１０Ａとの接続を確立しないことを示すために、例えば、ＳＩＰの４８６  Ｂｕｓｙメッセージを中継装置１２０に送信し（Ｓ１０１６）、これを受信した中継装置１２０は、呼制御部１２２ａが、ＳＩＰの４８６  Ｂｕｓｙメッセージを送信装置１１０Ａに転送する（Ｓ１０１７）。
【０１１８】
このようなメッセージを受信した送信装置１１０Ａは、通信制御部１１２ａが、ＳＩＰのＡＣＫメッセージを中継装置１２０に送信し（Ｓ１０１８）、これを受信した中継装置１２０は受信したＡＣＫメッセージを受信装置１３０に転送する（Ｓ１０１９）。
【０１１９】
また、このようなＡＣＫメッセージを送信した送信装置１１０Ａは、中継装置１２０との間の通信を切断する（Ｓ１０２０）。
【０１２０】
次に、送信装置１１０ＡからのＡＣＫメッセージを受信した受信装置１３０では、通信制御部１３２ａがＬｉｓｔ記憶装置アクセス部１３２ｄに指示を出し、Ｌｉｓｔ記憶装置アクセス部１３２ｄは、ステップＳ１０１１において転送されてきたＩｎｖｉｔｅメッセージに付加又は添付されてきた積荷情報を有する登録要求をＬｉｓｔ記憶装置１５０に送信する（Ｓ１０２１）。
【０１２１】
このような登録要求を受信したＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａに必要な情報を格納する（Ｓ１０２２）。
【０１２２】
そして、通信制御部１５２ａは、ＣａｌｌＷａｉｔｉｎｇＬｉｓｔテーブル１５６ａに必要な情報を格納したことを通知する完了通知を受信装置１３０に送信する（Ｓ１０２３）。
【０１２３】
次に、しばらく時間が経過する等して、受信装置１３０におけるＢｕｓｙ状態が解除され、他の送信装置１１０との通信が可能になったとする（Ｓ１０２４）。なお、受信装置１３０の通信制御部１３２ａは、送信装置１１０からのＳＩＰのＢｙｅメッセージやキャンセルメッセージ等を受信することにより、他の送信装置１１０と通信可能になったことを検知することができる。
【０１２４】
このような場合、通信制御部１３２ａは、Ｌｉｓｔ記憶装置アクセス部１３２ｄに指示を出し、Ｌｉｓｔ記憶装置アクセス部１３２ｄは、通信制御部１３２ａの指示により、Ｌｉｓｔ記憶装置１５０から接続すべき送信装置１１０のアドレス情報を取得する取得要求を、通信部１３５を介して、Ｌｉｓｔ記憶装置１５０に送信する（Ｓ１０２５）。
【０１２５】
このような取得要求を受信したＬｉｓｔ記憶装置１５０は、アドレス情報処理部１５２ｃが、ＣａｌｌＷａｉｔｉｎｇＬｉｓｔテーブル１５６ａにおいて最も優先順位の高い送信装置１１０（ここでは、送信装置１１０Ａの優先順位が最も高いものとする）のＩＰアドレスをＣａｌｌＷａｉｔｉｎｇＬｉｓｔテーブル１５６ａの最上行から取得して、アドレス情報として、通信部１５５を介して受信装置１３０に送信する（Ｓ１０２６）。
【０１２６】
このようなアドレス情報を受信した受信装置１３０では、通信制御部１３２ａが、受信したアドレス情報で特定されるＩＰアドレスを有する送信装置１１０Ａに対して、ＳＩＰのＮｏｔｉｆｙメッセージを送信し（Ｓ１０２７）、これを受けた中継装置１２０は、当該Ｎｏｔｉｆｙメッセージを送信装置１１０Ａに転送する（Ｓ１０２８）。
【０１２７】
このようなＮｏｔｉｆｙメッセージを受信した送信装置１１０Ａは、通信制御部１１２ａが、通信部１１５を介して、ＳＩＰのレスポンスメッセージである２００  ＯＫメッセージを中継装置１２０に送信し（Ｓ１０２９）、これを受けた中継装置１２０は、呼制御部１２２ａが、通信部１２３を介して、２００  ＯＫメッセージを受信装置１３０に転送する（Ｓ１０３０）。
【０１２８】
そして、２００  ＯＫメッセージを送信した送信装置１１０Ａは、再度、通常のＳＩＰによる接続確立のプロセスを行い、通常のＳＩＰによる呼制御を行い、宛先情報記憶領域１１１ａに記憶されている宛先情報を受信装置１３０に送信する（Ｓ１０３１）。
【０１２９】
そして、必要なデータの通信を終え、受信装置１３０と、送信装置１１０Ａとの間の通信が終了した受信装置１３０では、通信制御部１３２ａの指示により、Ｌｉｓｔ記憶装置アクセス部１３２ｄが、通信を終えた送信装置１１０Ａに関するデータの削除要求をＬｉｓｔ記憶装置１５０に送信する（Ｓ１０３２）。
【０１３０】
このような削除要求を受けたＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａから対応する項目を削除する（Ｓ１０３３）。
【０１３１】
そして、Ｌｉｓｔ記憶装置１５０の通信制御部１５２ａは、削除が完了したことを示す削除完了通知を受信装置１３０に送信する（Ｓ１０３４）。
【０１３２】
図１２は、以上のように構成される通信システム１００において第二の処理を行う際のシーケンス図である。
【０１３３】
ここで、第二の処理は、受信装置１３０が他の多くの送信装置１１０と通信中であり、かつ、新しく呼要求を行う送信装置１１０Ａからの通信が緊急である場合の処理である。
【０１３４】
まず、送信装置１１０Ａの通信制御部１１２ａは、通信部１１５を介して、ＳＩＰのＩｎｖｉｔｅメッセージを中継装置１２０に送信する（Ｓ１０４０）。ここで、送信装置１１０Ａから送信するＩｎｖｉｔｅメッセージには、積荷情報生成部１１２ｂが生成した積荷情報テーブル１１６ｂを積荷情報として付加又は添付する。
【０１３５】
そして、このようなＩｎｖｉｔｅメッセージを受信した中継装置１２０は、呼制御部１２２ａが、通信部１２３を介して、当該Ｉｎｖｉｔｅメッセージを受信装置１３０に転送する（Ｓ１０４１）。なお、転送するＩｎｖｉｔｅメッセージには、積荷情報を付加又は添付したままにする。
【０１３６】
転送されてきたＩｎｖｉｔｅメッセージを受信した受信装置１３０は、通信制御部１３２ａがステータス判定部１３２ｂに、ステータスの判定を指示し、このような指示を受けたステータス判定部１３２ｂは、ステータスの判定を行う（Ｓ１０４２）。ここで、本シーケンスでは、ステータス判定部１３２ｂは、自装置がＢｕｓｙ状態であると判定するものとする。
【０１３７】
そして、受信装置１３０の通信制御部１３２ａは、ステータス判定部１３２ｂでステータスがＢｕｓｙ状態であると判定された場合には、緊急性判定装置アクセス部１３２ｃに緊急性の判定を指示し、このような指示を受けた緊急性判定装置アクセス部１３２ｃは、中継装置１２０より転送されてきたＩｎｖｉｔｅメッセージに付加又は添付されてきた積荷情報を付加又は添付した緊急性の判定要求を緊急性判定装置１４０に送信する（Ｓ１０４３）。
【０１３８】
このような緊急性の判定要求を受信した緊急性判定装置１４０では、緊急性判定部１４２ｂで、積荷情報に基づいて緊急性の判定を行い（Ｓ１０４４）、その判定結果を通信制御部１４２ａが通信部１４５を介して、受信装置１３０に返信する（Ｓ１０４５）。なお、緊急性判定部１４２ｂでの、緊急性の判定は、例えば、積荷情報における到着予想時刻が予め定められた日時よりも現在の日時に近く、かつ、積荷情報における荷物数が、予め定められた荷物数よりも多い場合に緊急であると判定するものとし、本シーケンスでは、緊急であると判定したものとする。
【０１３９】
緊急であるとの判定結果を受信した受信装置１３０は、通信制御部１３２ａが、最後に接続を確立した送信装置１１０Ｂとの接続を強制的に切断するためにＳＩＰのＣａｎｃｅｌメッセージ（接続確立前）又はＢｙｅメッセージ（接続確立後）を送信装置１１０Ｂに送信する（Ｓ１０４６）。このようなメッセージを受信した送信装置１１０Ｂは、ＳＩＰのレスポンスメッセージである２００  ＯＫメッセージを返信し（Ｓ１０４７）、接続を切断する（Ｓ１０４８）。
【０１４０】
次に、受信装置１３０は、通信制御部１３２ａがＬｉｓｔ記憶装置アクセス部１３２ｄに指示して、接続を切断した送信装置１１０Ｂが接続確立時にＩｎｖｉｔｅメッセージに付加又は添付して送付してきた積荷情報を有する登録要求をＬｉｓｔ記憶装置１５０に送信する（Ｓ１０４９）。
【０１４１】
このような登録要求を受信したＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａに必要な情報を格納する（Ｓ１０５０）。
【０１４２】
そして、通信制御部１５２ａは、ＣａｌｌＷａｉｔｉｎｇＬｉｓｔテーブル１５６ａに必要な情報を格納したことを通知する完了通知を受信装置１３０に送信する（Ｓ１０５１）。
【０１４３】
次に、受信装置１３０は、送信装置１１０Ａに接続応答をするために２００  ＯＫメッセージを中継装置１２０に送信し（Ｓ１０５２）、中継装置１２０は２００  ＯＫメッセージを送信装置１１０Ａに転送する（Ｓ１０５３）。
【０１４４】
このようなメッセージを受信した送信装置１１０Ａは、ＡＣＫメッセージを中継装置１２０を経由して（Ｓ１０５４）、受信装置１３０に送信し（Ｓ１０５５）、宛先情報記憶領域１１１ａに記憶されている宛先情報を受信装置１３０に送信する（Ｓ１０５６）。
【０１４５】
そして、宛先情報の通信を終了した場合には、送信装置１１０Ａは、中継装置１２０を介して（Ｓ１０５７）、Ｂｙｅメッセージを受信装置１３０に送信する（Ｓ１０５８）。
【０１４６】
このようなＢｙｅメッセージを受信した受信装置１３０は、中継装置１２０を介して（Ｓ１０５９）、２００  ＯＫメッセージを送信装置１１０Ａに送信する（Ｓ１０６０）。
【０１４７】
なお、本シーケンスでは、ステップＳ１０４６において、受信装置１３０は、最後に接続を確立した送信装置１１０Ｂとの接続を強制的に切断するようにしているが、このような態様に限定されず、例えば、緊急であると緊急性判定装置１４０で判定された積荷情報を送信してきた送信装置１１０のＩＰアドレスを記憶部１３１に記憶しておき、このような緊急であると判定されて接続した送信装置１１０との間の接続は切断しないようにすることも可能である。この場合には、緊急との判定をされずに接続した送信装置１１０の内最後に接続された送信装置との間の接続を強制的に切断すればよい。
【０１４８】
また、以上に記載した実施形態においては、受信装置１３０、Ｌｉｓｔ記憶装置１４０及び緊急性判定装置１５０は、ＬＡＮ１６１を介して情報の送受信を行うことができるようにされているが、このような態様に限定されるわけではなく、公知のインターフェースを介して、Ｌｉｓｔ記憶装置１４０及び緊急性判定装置１５０が受信装置１３０に接続され、情報の送受信を行うことができるようにすることも可能である。
【０１４９】
さらに、本実施形態においては、受信装置１３０、Ｌｉｓｔ記憶装置１４０及び緊急性判定装置１５０を別々の装置で構成したが、これらの装置で行っている処理の全てを一つ又は複数の装置にまとめることも可能である。
【０１５０】
また、以上に記載した実施形態においては、ＣａｌｌＷａｉｔｉｎｇＬｉｓｔ編集部１５２ｂは、到着予想時刻が現在の時刻に近いものほど優先度が高くなるように、積荷情報テーブル１１６ｂに格納されている情報から優先度を判断して、当該優先度に応じた配送Ｎｏを割り振り、ＣａｌｌＷａｉｔｉｎｇＬｉｓｔテーブル１５６ａに格納するようにしているが、優先度については、このような態様に限定されず、例えば、荷物数が多いほど優先度が高くなるようにすることも可能であり、また、優先度を特定する情報を連番（１２、３、・・・等）や文字列（通常、優先等）等で積荷情報テーブル１１６ｂに格納しておくことも可能である。さらに、ＣａｌｌＷａｉｔｉｎｇＬｉｓｔ編集部１５２ｂは、優先度が同じものについては、荷物数や到着予想時刻でさらに順位付けを行うことも可能である。
【０１５１】
さらに、以上に記載した実施形態では、ＳＩＰを用いて送信装置１１０と受信装置１３０との間の通信を確立するようにしているが、このようなプロトコルに限定されるわけではなく、積荷情報と宛先情報とを別々に送信することのできるものであればどのようなプロトコルを用いてもよい。
【０１５２】
図１３は、本発明の第二の実施形態である通信システム２００の概略図である。
【０１５３】
図示するように、通信システム２００は、送信装置１１０（各々を区別する場合には、送信装置１１０Ａ、送信装置１１０Ｂとする）と、中継装置２２０と、受信装置２３０と、緊急性判定装置１４０と、Ｌｉｓｔ記憶装置１５０と、ステータス記憶装置２７０と、を備えている。
【０１５４】
ここで、送信装置１１０、中継装置２２０及び受信装置２３０は、第一の実施形態と同様に、ネットワーク１６０を介して情報の送受信を行うことができるようにされている。一方、第一の実施形態とは異なり、中継装置２２０は、Ｌｉｓｔ記憶装置１４０、緊急性判定装置１５０及びステータス記憶装置２７０と、ＬＡＮ１６１を介して情報の送受信を行うことができるようにされている。
【０１５５】
ここで、送信装置１１０は郵便物、荷物等の配送物の集荷場に設置されており、受信装置２３０は郵便物等の配送場に設置されているものとする。
【０１５６】
送信装置１１０については、第一の実施形態と同様に構成されているため、説明を省略する。
【０１５７】
図１４は、中継装置２２０の概略図である。
【０１５８】
図示するように、中継装置２２０は、記憶部１２１と、制御部２２２と、通信部１２３と、を備え、第一の実施形態と比較して、制御部２２２が異なっているため、以下、この異なっている点に関連する事項について説明する。
【０１５９】
制御部２２２は、呼制御部２２２ａと、緊急性判定装置アクセス部２２２ｂと、Ｌｉｓｔ記憶装置アクセス部２２２ｃと、ステータス記憶装置アクセス部２２２ｄと、を備える。
【０１６０】
呼制御部２２２ａは、第一の実施形態と同様に、ＳＩＰに従った呼制御を行う。なお、この呼制御は、従来から行われているものであるため、詳細は省略する。
【０１６１】
また、呼制御部２２２ａは、送信装置１１０から接続要求を受信した際に、後述するステータス記憶装置アクセス部２２２ｄを介して受信装置２３０の通信状況を確認し、後述する緊急性判定装置アクセス部２２２ｂを介して接続要求に付加又は添付されている集荷情報の緊急性を確認し、後述するＬｉｓｔ記憶装置アクセス部２２２ｃを介して、Ｌｉｓｔ記憶装置１５０に集荷情報の登録を要求し、さらに、後述するＬｉｓｔ記憶装置アクセス部２２２ｃを介して、Ｂｕｓｙ状態が解除された際に、Ｌｉｓｔ記憶装置１５０からアクセスすべき送信装置１１０のアドレス情報を取得する処理を行う。
【０１６２】
具体的には、呼制御部２２２ａは、送信装置１１０からＳＩＰのＩｎｖｉｔｅメッセージを受信した場合には、後述するステータス記憶装置アクセス部２２２ｄを介して、Ｉｎｉｔｅメッセージを転送する受信装置２３０がＢｕｓｙ状態であるか否かの判定結果をステータス記憶装置２７０から取得する処理を行う。
【０１６３】
ステータス記憶装置２７０からＢｕｓｙ状態ではないとの判定結果を取得した場合には、呼制御部２２２ａは、通常のＳＩＰによる呼制御に従って、受信装置２３０にＩｎｖｉｔｅメッセージを転送する。
【０１６４】
一方、ステータス記憶装置２７０からＢｕｓｙ状態であるとの判定結果を取得した場合には、呼制御部２２２ａは、緊急性判定装置アクセス部２２２ｂにより、Ｉｎｖｉｔｅメッセージに付加又は添付されている積荷情報テーブル１１６ｂを緊急性判定装置１４０に送信し、その応答として、緊急性の判定結果を取得する。
【０１６５】
そして、呼制御部２２２ａは、緊急性の判定結果として、緊急ではないとの判定結果を取得した場合には、Ｌｉｓｔ記憶装置アクセス部２２２ｃにより、積荷情報と、当該積荷情報を送信してきた送信装置１１０のアドレス情報と、をＬｉｓｔ記憶装置１５０に送信する処理を制御する。
【０１６６】
一方、呼制御部２２２ａは、緊急性の判定結果として、緊急であるとの判定結果を取得した場合には、予め定められたアルゴリズムにしたがって、既に接続されている送信装置１１０との間の通信を切断し、切断した送信装置１１０のＩｎｖｉｔｅメッセージに付加又は添付されていた積荷情報テーブル１１６ｂと、切断した送信装置１１０のアドレス情報と、をＬｉｓｔ記憶装置アクセス部１３３ｄによりＬｉｓｔ記憶装置１５０に送信する処理を制御する。
【０１６７】
また、呼制御部２２２ａは、受信装置２３０の通信が完了等して、当該受信装置２３０のＢｕｓｙ状態が解消されたと判定した場合には、アクセスすべき送信装置１１０のアドレス情報をＬｉｓｔ記憶装置アクセス部２２２ｃによりＬｉｓｔ記憶装置１５０から取得し、取得したアドレス情報で特定される送信装置１１０との間の通信を確立する。
【０１６８】
例えば、本実施形態においては、呼制御部２２２ａは、ＳＩＰにおけるＮｏｔｉｆｙメッセージを送信装置１１０に送信することで、取得したアドレス情報で特定される送信装置１１０に呼を確立するように指示を出す。
【０１６９】
さらに、呼制御部２２２ａは、受信装置２３０と送信装置１１０との間の通信が確立し、または、通信が切断された場合には、ステータス記憶装置アクセス部２２２ｄにより、ステータス記憶装置２７０に記憶されているステータス情報を編集するように指示する処理を制御する。
【０１７０】
緊急性判定装置アクセス部２２２ｂは、呼制御部２２２ａの指示により、通信部１２３を介して、積荷情報テーブル１１６ｂを特定した緊急性の判定要求を緊急性判定装置１４０に送信し、その応答として緊急性の判定結果を受信し、呼制御部２２２ａに出力する。
【０１７１】
Ｌｉｓｔ記憶装置アクセス部２２２ｃは、呼制御部２２２ａの指示により、積荷情報テーブル１１６ｂと、当該積荷情報テーブル１１６ｂを送信してきた送信装置１１０のアドレス情報と、を特定した登録要求を、通信部１２３を介して、Ｌｉｓｔ記憶装置１５０に送信する。
【０１７２】
また、Ｌｉｓｔ記憶装置アクセス部２２２ｃは、呼制御部２２２ａの指示により、接続すべき送信装置１１０のアドレス情報を取得する取得要求を、通信部１２３を介して、Ｌｉｓｔ記憶装置１５０に送信し、その応答として受信したアドレス情報を呼制御部２２２ａに出力する。
【０１７３】
ステータス記憶装置アクセス部２２２ｄは、呼制御部２２２ａの指示により、通信部１２３を介して、受信装置２３０のＩＰアドレスを特定したステータスの判定要求をステータス記憶装置２７０に送信し、その応答としてステータスの判定結果（Ｂｕｓｙであるか否か）を受信し、呼制御部２２２ａに出力する。
【０１７４】
また、ステータス記憶装置アクセス部２２２ｄは、呼制御部２２２ａの指示により、通信部１２３を介して、受信装置２３０のＩＰアドレスを特定したステータスの編集要求をステータス記憶装置２７０に送信する。なお、ステータス記憶装置アクセス部２２２ｄは、送信装置１１０と受信装置２３０との間の通信が確立した場合には、加算処理を行うように、一方、送信装置１１０と受信装置２３０との間の通信が切断された場合には、減算処理を行うように、編集要求を送信する。
【０１７５】
通信部１２３は、ネットワーク１６０を介して情報の送受信を行う。
【０１７６】
以上に記載した中継装置２２０も、例えば、図１０に示すような一般的なコンピュータ１８０で実現できる。
【０１７７】
例えば、記憶部１２１は、ＣＰＵ１８１がメモリ１８２又は外部記憶装置１８３を利用することにより実現可能であり、制御部２２２は、外部記憶装置１８３に記憶されている所定のプログラムをメモリ１８２にロードしてＣＰＵ１８１で実行することで実現可能であり、通信部１２３は、ＣＰＵ１８１が通信装置１８８を利用することで実現可能である。
【０１７８】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０１７９】
図１５は、受信装置２３０の概略図である。
【０１８０】
図示するように、受信装置２３０は、記憶部１３１と、制御部２３２と、入力部１３３と、出力部１３４と、通信部１３５と、を備え、第一の実施形態と比較して、制御部２３２が異なっているため、以下、この異なっている点に関連する事項について説明する。
【０１８１】
制御部２３２は、通信制御部２３２ａを備える。
【０１８２】
通信制御部１３２ａは、受信装置１３０における通信処理全般を制御し、本実施形態においては、通常のＳＩＰにより送信装置１１０と接続を確立して、通常のデータの送受信を行う。
【０１８３】
以上に記載した受信装置２３０も、例えば、図１０に示すような一般的なコンピュータ１８０で実現できる。
【０１８４】
例えば、記憶部１３１は、ＣＰＵ１８１がメモリ１８２又は外部記憶装置１８３を利用することにより実現可能であり、制御部２３２は、外部記憶装置１８３に記憶されている所定のプログラムをメモリ１８２にロードしてＣＰＵ１８１で実行することで実現可能であり、入力部１３３は、ＣＰＵ１８１が入力装置１８６を利用することにより実現可能であり、出力部１３４は、ＣＰＵ１８１が出力装置１８７を利用することにより実現可能であり、通信部１３５は、ＣＰＵ１８１が通信装置１８８を利用することで実現可能である。
【０１８５】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０１８６】
図１３に戻り、Ｌｉｓｔ記憶装置１４０及び緊急性判定装置１５０については、第一の実施形態と同様に構成されているため、説明を省略する。
【０１８７】
図１６は、ステータス記憶装置２７０の概略図である。
【０１８８】
図示するように、ステータス記憶装置２７０は、記憶部２７１と、制御部２７２と、通信部２７３と、を備える。
【０１８９】
記憶部２７１は、ステータス情報記憶領域２７１ａを備える。
【０１９０】
ステータス情報記憶領域２７１ａには、各受信装置２３０のステータスを判定するためのステータス情報が記憶される。
【０１９１】
本実施形態においては、ステータス情報記憶領域２７１ａに、例えば、図１７（ステータステーブル２７４ａの概略図）に示すようなステータステーブル２７４ａが記憶される。
【０１９２】
図示するように、ステータステーブル２７４ａは、装置欄２７４ｂと、最大接続数欄２７４ｃと、接続数欄２７４ｄと、を備える。
【０１９３】
装置欄２７４ｂには、各々の受信装置２３０を識別するための識別情報が格納される。ここで、本実施形態においては、各々の受信装置２３０を識別するための識別情報として、各々の受信装置２３０のＩＰアドレスが格納される。
【０１９４】
最大接続数欄２７４ｃには、装置欄２７４ｂで特定される受信装置２３０に接続することのできる送信装置１１０の最大数を特定する情報が格納される。
【０１９５】
接続数欄２７４ｄには、装置欄２７４ｂで特定される受信装置２３０に接続している送信装置１１０の数を特定する情報が格納される。
【０１９６】
図１６に戻り、制御部２７２は、通信制御部２７２ａと、ステータス情報編集部２７２ｂと、を備える。
【０１９７】
通信制御部２７２ａは、ステータス記憶装置２７０で行う通信の全般を制御する。
【０１９８】
特に、本実施形態においては、中継装置２２０からのステータスの判定要求や、ステータス情報の編集要求を、ステータス情報編集部２７２ｂに出力する処理を行う。
【０１９９】
また、通信制御部２７２ａは、ステータス情報編集部２７２ｂより出力された判定結果を、通信部２７３を介して、中継装置２２０に送信する処理を行う。
【０２００】
ステータス情報編集部２７２ｂは、通信制御部２７２ａの指示により、ステータスの判定要求に含まれているＩＰアドレスで特定される受信装置２３０がＢｕｓｙ状態であるか否かを判定する。
【０２０１】
具体的には、ステータス情報編集部２７２ｂは、通信制御部２７２ａより入力されたステータスの判定要求に含まれているＩＰアドレスに対応するエントリをステータス情報格納領域２７１ａに記憶されているステータステーブル２７４ａの装置欄２７４ｂで特定し、特定したエントリの接続数欄２７４ｄに格納されている接続数が、最大接続数欄２７４ｃに格納されている最大接続数に至っているか否かを判定し、至っている場合には、Ｂｕｓｙ状態の判定結果を通信制御部２７２ａに出力し、至ってない場合には、Ｂｕｓｙ状態ではない判定結果を通信制御部２７２ａに出力する。
【０２０２】
通信部２７３は、ＬＡＮ１６１を介して情報の送受信を行う。
【０２０３】
以上に記載したステータス記憶装置２７０も、例えば、図１０に示すような一般的なコンピュータ１８０で実現できる。
【０２０４】
例えば、記憶部２７１は、ＣＰＵ１８１がメモリ１８２又は外部記憶装置１８３を利用することにより実現可能であり、制御部２７２は、外部記憶装置１８３に記憶されている所定のプログラムをメモリ１８２にロードしてＣＰＵ１８１で実行することで実現可能であり、通信部２７３は、ＣＰＵ１８１が通信装置１８８を利用することで実現可能である。
【０２０５】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０２０６】
図１８は、以上のように構成される通信システム２００において第一の処理を行う際のシーケンス図である。
【０２０７】
ここで、第一の処理は、受信装置２３０が他の多くの送信装置１１０と通信中であり、かつ、新しく呼要求を行う送信装置１１０Ａからの通信が緊急ではない場合の処理である。
【０２０８】
まず、送信装置１１０Ａの通信制御部１１２ａは、通信部１１５を介して、ＳＩＰのＩｎｖｉｔｅメッセージを中継装置２２０に送信する（Ｓ２０１０）。ここで、送信装置１１０Ａから送信するＩｎｖｉｔｅメッセージには、積荷情報生成部１１２ｂが生成した積荷情報テーブル１１６ｂを積荷情報として付加又は添付する。
【０２０９】
そして、このようなＩｎｖｉｔｅメッセージを受信した中継装置２２０は、呼制御部２２２ａの指示により、ステータス記憶装置アクセス部２２２ｄが、通信部１２３を介して、受信装置２３０のＩＰアドレスを特定したステータスの判定要求をステータス記憶装置２７０に送信する（Ｓ２０１１）。
【０２１０】
このようなステータスの判定要求を受信したステータス記憶装置２７０は、ステータス情報編集部２７２ｂが、ステータス情報記憶領域２７１ａに記憶されているステータステーブル２７４ａの該当する行の欄を参照することにより、ステータスを判定する（Ｓ２０１２）。ここで、本シーケンスでは、受信装置２３０がＢｕｓｙ状態であると判定されたものとする。
【０２１１】
そして、ステータス情報編集部２７２ｂの判定結果を通信制御部２７２ａが、通信部２７３を介して、中継装置２２０に送信する（Ｓ２０１３）。
【０２１２】
次に、受信装置２３０がＢｕｓｙ状態であるとの判定結果を受信した中継装置２２０では、呼制御部２２２ａの指示により、緊急性判定装置アクセス部２２２ｂは、送信装置１１０Ａより送信されてきたＩｎｖｉｔｅメッセージに付加又は添付されてきた積荷情報を付加又は添付した緊急性の判定要求を緊急性判定装置１４０に送信する（Ｓ２０１４）。
【０２１３】
このような緊急性の判定要求を受信した緊急性判定装置１４０では、緊急性判定部１４２ｂで、積荷情報に基づいて緊急性の判定を行い（Ｓ２０１５）、その判定結果を通信制御部１４２ａが通信部１４５を介して、中継装置２２０に返信する（Ｓ２０１６）。なお、緊急性判定部１４２ｂでの、緊急性の判定は、例えば、積荷情報における到着予想時刻が予め定められた日時よりも現在の日時に近く、かつ、積荷情報における荷物数が、予め定められた荷物数よりも多い場合に緊急であると判定するものとし、本シーケンスでは、緊急ではないと判定したものとする。
【０２１４】
そして、判定結果を受信した中継装置２２０は、呼制御部２２２ａが、送信装置１１０Ａとの接続を確立しないことを示すために、例えば、ＳＩＰの４８６  Ｂｕｓｙメッセージを送信装置１１０Ａに送信する（Ｓ２０１７）。
【０２１５】
このようなメッセージを受信した送信装置１１０Ａは、通信制御部１１２ａが、ＳＩＰのＡＣＫメッセージを中継装置２２０に送信し（Ｓ２０１８）、中継装置１２０との間の通信を切断する（Ｓ２０１９）。
【０２１６】
次に、送信装置１１０ＡからのＡＣＫメッセージを受信した中継装置２２０では、呼制御部２２２ａがＬｉｓｔ記憶装置アクセス部２２２ｃに指示を出し、Ｌｉｓｔ記憶装置アクセス部２２２ｃは、ステップＳ２０１０において送信されてきたＩｎｖｉｔｅメッセージに付加又は添付されてきた積荷情報を有する登録要求をＬｉｓｔ記憶装置１５０に送信する（Ｓ２０２０）。
【０２１７】
このような登録要求を受信したＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａに必要な情報を格納する（Ｓ２０２１）。
【０２１８】
そして、通信制御部１５２ａは、ＣａｌｌＷａｉｔｉｎｇＬｉｓｔテーブル１５６ａに必要な情報を格納したことを通知する完了通知を中継装置２２０に送信する（Ｓ２０２２）。
【０２１９】
次に、しばらく時間が経過する等して、受信装置２３０におけるＢｕｓｙ状態が解除され、他の送信装置１１０との通信が可能になったとする（Ｓ２０２３）。なお、中継装置２２０の呼制御部２２２ａは、送信装置１１０からのＳＩＰのＢｙｅメッセージやキャンセルメッセージ等を受信することにより、他の送信装置１１０と通信可能になったことを検知することができる。
【０２２０】
そして、このような場合、中継装置の呼制御部２２２ａは、ステータス記憶装置アクセス部２２２ｄに指示を出し、ステータス記憶装置アクセス部２２２ｄは、Ｂｕｓｙ状態が解消された受信装置２３０のＩＰアドレスを特定した減算要求をステータス記憶装置２７０に送信する（Ｓ２０２４）。
【０２２１】
このような減算要求を受信したステータス記憶装置２７０では、ステータス情報編集部２７２ｂが、減算要求に含まれているＩＰアドレスに対応する行の接続数欄２７４ｄに格納されている数字から「１」を減算する処理を行う（Ｓ２０２５）。
【０２２２】
また、中継装置２２０の呼制御部２２２ａは、Ｌｉｓｔ記憶装置アクセス部２２２ｃに指示を出し、Ｌｉｓｔ記憶装置アクセス部２２２ｃは、Ｌｉｓｔ記憶装置１５０から接続すべき送信装置１１０のアドレス情報を取得する取得要求を、通信部１２３を介して、Ｌｉｓｔ記憶装置１５０に送信する（Ｓ２０２６）。
【０２２３】
このような取得要求を受信したＬｉｓｔ記憶装置１５０は、アドレス情報処理部１５２ｃが、ＣａｌｌＷａｉｔｉｎｇＬｉｓｔテーブル１５６ａにおいて最も優先順位の高い送信装置（ここでは、送信装置１１０Ａの優先順位が最も高いものとする）のＩＰアドレスをＣａｌｌＷａｉｔｉｎｇＬｉｓｔテーブル１５６ａの最上行から取得して、アドレス情報として、通信部１５５を介して中継装置２２０に送信する（Ｓ２０２７）。
【０２２４】
そして、このようなアドレス情報を受信した中継装置２２０では、呼制御部２２２ａが、ステータス記憶装置アクセス部２２２ｄに指示を出し、ステータス記憶装置アクセス部２２２ｄは、Ｂｕｓｙ状態が解消された受信装置２３０のＩＰアドレスを特定した加算要求をステータス記憶装置２７０に送信する（Ｓ２０２８）。
【０２２５】
このような加算要求を受信したステータス記憶装置２７０では、ステータス情報編集部２７２ｂが、加算要求に含まれているＩＰアドレスに対応する行の接続数欄２７４ｄに格納されている数字に「１」を加算する処理を行う（Ｓ２０２９）。
【０２２６】
また、中継装置２２０の呼制御部２２２ａは、ステップＳ２０２７で受信したアドレス情報で特定されるＩＰアドレスを有する送信装置１１０Ａに対して、ＳＩＰのＮｏｔｉｆｙメッセージを送信する（Ｓ２０３０）。
【０２２７】
このようなＮｏｔｉｆｙメッセージを受信した送信装置１１０Ａは、通信制御部１１２ａが、通信部１１５を介して、ＳＩＰのレスポンスメッセージである２００  ＯＫメッセージを中継装置２２０に送信する（Ｓ２０３１）。
【０２２８】
そして、２００  ＯＫメッセージを送信した送信装置１１０Ａは、再度、通常のＳＩＰによる接続確立のプロセスを行い、通常のＳＩＰによる呼制御を行い、宛先情報記憶領域１１１ａに記憶されている宛先情報を受信装置２３０に送信する（Ｓ２０３２）。
【０２２９】
そして、必要なデータの通信を終え、受信装置１３０と、送信装置１１０Ａとの間の通信が終了した場合には、中継装置２２０の呼制御部２２２ａは、Ｌｉｓｔ記憶装置アクセス部２２２ｃに指示を出し、Ｌｉｓｔ記憶装置アクセス部２２２ｃが、通信を終えた送信装置１１０Ａに関するデータの削除要求をＬｉｓｔ記憶装置１５０に送信する（Ｓ２０３３）。
【０２３０】
このような削除要求を受けたＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａから対応する項目を削除する（Ｓ２０３４）。
【０２３１】
そして、Ｌｉｓｔ記憶装置１５０の通信制御部１５２ａは、削除が完了したことを示す削除完了通知を中継装置２２０に送信する（Ｓ２０３５）。
【０２３２】
図１９は、以上のように構成される通信システム２００において第二の処理を行う際のシーケンス図である。
【０２３３】
ここで、第二の処理は、受信装置２３０が他の多くの送信装置１１０と通信中であり、かつ、新しく呼要求を行う送信装置１１０Ａからの通信が緊急である場合の処理である。
【０２３４】
まず、送信装置１１０Ａの通信制御部１１２ａは、通信部１１５を介して、ＳＩＰのＩｎｖｉｔｅメッセージを中継装置２２０に送信する（Ｓ２０４０）。ここで、送信装置１１０Ａから送信するＩｎｖｉｔｅメッセージには、積荷情報生成部１１２ｂが生成した積荷情報テーブル１１６ｂを積荷情報として付加又は添付する。
【０２３５】
そして、このようなＩｎｖｉｔｅメッセージを受信した中継装置２２０は、呼制御部２２２ａの指示により、ステータス記憶装置アクセス部２２２ｄが、通信部１２３を介して、受信装置２３０のＩＰアドレスを特定したステータスの判定要求をステータス記憶装置２７０に送信する（Ｓ２０４１）。
【０２３６】
このようなステータスの判定要求を受信したステータス記憶装置２７０は、ステータス情報編集部２７２ｂが、ステータス情報記憶領域２７１ａに記憶されているステータステーブル２７４ａの該当する行の欄を参照することにより、ステータスを判定する（Ｓ２０４２）。ここで、本シーケンスでは、受信装置２３０がＢｕｓｙ状態であると判定されたものとする。
【０２３７】
そして、ステータス情報編集部２７２ｂの判定結果を通信制御部２７２ａが、通信部２７３を介して、中継装置２２０に送信する（Ｓ２０４３）。
【０２３８】
次に、受信装置２３０がＢｕｓｙ状態であるとの判定結果を受信した中継装置２２０では、呼制御部２２２ａの指示により、緊急性判定装置アクセス部２２２ｂは、送信装置１１０Ａより送信されてきたＩｎｖｉｔｅメッセージに付加又は添付されてきた積荷情報を付加又は添付した緊急性の判定要求を緊急性判定装置１４０に送信する（Ｓ２０４４）。
【０２３９】
このような緊急性の判定要求を受信した緊急性判定装置１４０では、緊急性判定部１４２ｂで、積荷情報に基づいて緊急性の判定を行い（Ｓ２０４５）、その判定結果を通信制御部１４２ａが通信部１４５を介して、中継装置２２０に返信する（Ｓ２０４６）。なお、緊急性判定部１４２ｂでの、緊急性の判定は、例えば、積荷情報における到着予想時刻が予め定められた日時よりも現在の日時に近く、かつ、積荷情報における荷物数が、予め定められた荷物数よりも多い場合に緊急であると判定するものとし、本シーケンスでは、緊急であると判定したものとする。
【０２４０】
緊急であるとの判定結果を受信した中継装置２２０は、呼制御部２２２ａが、最後に接続を確立した送信装置１１０Ｂ及び受信装置２３０との接続を強制的に切断するためにＳＩＰのＣａｎｃｅｌメッセージ（接続確立前）又はＢｙｅメッセージ（接続確立後）を送信装置１１０Ｂに送信する（Ｓ２０４７）。このようなメッセージを受信した送信装置１１０Ｂは、ＳＩＰのレスポンスメッセージである２００  ＯＫメッセージを返信し（Ｓ２０４８）、接続を切断する（Ｓ２０４９）。さらに、中継装置２２０は、ＳＩＰのＣａｎｃｅｌメッセージ（接続確立前）又はＢｙｅメッセージ（接続確立後）を受信装置２３０に送信する（Ｓ２０５０）。このようなメッセージを受信した受信装置２３０は、ＳＩＰのレスポンスメッセージである２００  ＯＫメッセージを返信し（Ｓ２０５１）、接続を切断する（Ｓ２０５２）。
【０２４１】
次に、中継装置２２０は、呼制御部２２２ａが、Ｌｉｓｔ記憶装置アクセス部２２２ｃに指示して、接続を切断した送信装置１１０Ｂが接続確立時にＩｎｖｉｔｅメッセージに付加又は添付して送付してきた積荷情報を有する登録要求をＬｉｓｔ記憶装置１５０に送信する（Ｓ２０５３）。
【０２４２】
このような登録要求を受信したＬｉｓｔ記憶装置１５０は、ＣａｌｌＷａｉｔｉｎｇＬｉｓｔ編集部１５２ｂが、ＣａｌｌＷａｉｔｉｎｇＬｉｓｔ記憶領域１５１ａに記憶されているＣａｌｌＷａｉｔｉｎｇＬｉｓｔテーブル１５６ａに必要な情報を格納する（Ｓ２０５４）。
【０２４３】
そして、通信制御部１５２ａは、ＣａｌｌＷａｉｔｉｎｇＬｉｓｔテーブル１５６ａに必要な情報を格納したことを通知する完了通知を中継装置２２０に送信する（Ｓ２０５５）。
【０２４４】
次に、受信装置１３０は、呼制御部２２２ａが、送信装置１１０Ａより受信したＩｎｖｉｔｅメッセージを受信装置２３０に送信する（Ｓ２０５６）。
【０２４５】
このようなメッセージを受信した受信装置２３０は、接続応答をするために２００  ＯＫメッセージを中継装置２２０に送信し（Ｓ２０５７）、中継装置２２０は２００  ＯＫメッセージを送信装置１１０Ａに転送する（Ｓ２０５８）。
【０２４６】
このようなメッセージを受信した送信装置１１０Ａは、ＡＣＫメッセージを中継装置２２０を経由して（Ｓ２０５９）、受信装置２３０に送信し（Ｓ２０６０）、宛先情報記憶領域１１１ａに記憶されている宛先情報を受信装置２３０に送信する（Ｓ２０６１）。
【０２４７】
そして、宛先情報の通信を終了した場合には、送信装置１１０Ａは、中継装置２２０を介して（Ｓ２０６２）、Ｂｙｅメッセージを受信装置２３０に送信する（Ｓ２０６３）。
【０２４８】
このようなＢｙｅメッセージを受信した受信装置２３０は、中継装置２２０を介して（Ｓ２０６４）、２００  ＯＫメッセージを送信装置１１０Ａに送信する（Ｓ２０６５）。
【０２４９】
なお、本シーケンスでは、ステップＳ２０４７及びステップＳ２０５０において、中継装置２２０は、最後に接続を確立した送信装置１１０Ｂ及び受信装置２３０との接続を強制的に切断するようにしているが、このような態様に限定されず、例えば、緊急であると緊急性判定装置１４０で判定された積荷情報を送信してきた送信装置１１０のＩＰアドレスを記憶部１２１に記憶しておき、このような緊急であると判定されて接続した送信装置１１０との間の接続は切断しないようにすることも可能である。この場合には、緊急との判定をされずに接続した送信装置１１０の内最後に接続された送信装置との間の接続を強制的に切断すればよい。
【０２５０】
また、以上に記載した実施形態においては、中継装置２２０、Ｌｉｓｔ記憶装置１４０、緊急性判定装置１５０及びステータス記憶装置２７０は、ＬＡＮ１６１を介して情報の送受信を行うことができるようにされているが、このような態様に限定されるわけではなく、公知のインターフェースを介して、Ｌｉｓｔ記憶装置１４０、緊急性判定装置１５０及びステータス記憶装置２７０が中継装置２２０に接続され、情報の送受信を行うことができるようにすることも可能である。
【０２５１】
さらに、本実施形態においては、中継装置２２０、Ｌｉｓｔ記憶装置１４０、緊急性判定装置１５０及びステータス記憶装置２７０を別々の装置で構成したが、これらの装置で行っている処理の全てを一つ又は複数の装置にまとめることも可能である。
【０２５２】
また、以上に記載した実施形態では、ＳＩＰを用いて送信装置１１０と受信装置２３０との間の通信を確立するようにしているが、このようなプロトコルに限定されるわけではなく、積荷情報と宛先情報とを別々に送信することのできるものであればどのようなプロトコルを用いてもよい。
【０２５３】
図２０は、本発明の第三の実施形態である通信システム３００の概略図である。
【０２５４】
図示するように、通信システム３００は、送信装置１１０（各々を区別する場合には、送信装置１１０Ａ、送信装置１１０Ｂとする）と、中継装置３２０と、受信装置３３０と、緊急性判定装置１４０と、ステータス記憶装置３７０と、を備えており、第二の実施形態と比較して、中継装置３２０、受信装置３３０及びステータス記憶装置３７０が異なっており、また、Ｌｉｓｔ記憶装置１５０が設けられていない点で異なっている。
【０２５５】
図２１は、中継装置３２０の概略図である。
【０２５６】
図示するように、中継装置３２０は、記憶部１２１と、制御部３２２と、通信部１２３と、を備え、第一の実施形態と比較して、制御部３２２が異なっているため、以下、この異なっている点に関連する事項について説明する。
【０２５７】
制御部３２２は、呼制御部３２２ａと、緊急性判定装置アクセス部２２２ｂと、ステータス記憶装置アクセス部３２２ｄと、を備え、第二の実施形態と比較して、呼制御部３２２ａ及びステータス記憶装置アクセス部３２２ｄでの処理が異なっており、また、Ｌｉｓｔ記憶装置アクセス部は設けられていない点でも異なっている。以下、これらの異なっている点に関連する事項について説明する。
【０２５８】
呼制御部３２２ａは、第一の実施形態と同様に、ＳＩＰに従った呼制御を行う。なお、この呼制御は、従来から行われているものであるため、詳細は省略する。
【０２５９】
また、呼制御部３２２ａは、第二の実施形態と同様に、送信装置１１０からＳＩＰのＩｎｖｉｔｅメッセージを受信した場合には、緊急性判定装置アクセス部２２２ｂにより、Ｉｎｖｉｔｅメッセージに付加又は添付されている積荷情報テーブル１１６ｂを緊急性判定装置１４０に送信し、その応答として、緊急性の判定結果を取得する。この処理については第二の実施形態と同様である。
【０２６０】
そして、呼制御部３２２ａは、緊急性判定装置アクセス部２２２ｂからの判定結果を添付して、ステータス記憶装置アクセス部３２２ｄを介して、ポート番号の取得要求をステータス記憶装置３７０に送信する処理を行う。
【０２６１】
そして、呼制御部３２２ａは、ステータス記憶装置３７０から通知された受信装置３３０のポート番号で特定される通信部３３５にＩｎｖｉｔｅメッセージを転送する処理を行う。
【０２６２】
さらに、呼制御部３２２ａは、受信装置３３０と送信装置１１０との間の通信が確立し、または、通信が切断された場合には、ステータス記憶装置アクセス部３２２ｄにより、ステータス記憶装置３７０に記憶されているステータス情報を編集するようにポート番号を特定した指示を行う。
【０２６３】
ステータス記憶装置アクセス部３２２ｄは、呼制御部３２２ａの指示により、通信部１２３を介して、受信装置２３０のＩＰアドレスを特定したポート番号の取得要求をステータス記憶装置３７０に送信し、その応答として接続すべきポート番号を特定した情報を受信し、呼制御部３２２ａに出力する。
【０２６４】
また、ステータス記憶装置アクセス部３２２ｄは、呼制御部３２２ａの指示により、通信部１２３を介して、受信装置３３０のＩＰアドレス及びポート番号を特定したステータスの編集要求をステータス記憶装置３７０に送信する。なお、ステータス記憶装置アクセス部３２２ｄは、送信装置１１０と受信装置３３０との間の通信が確立した場合には、加算処理を行うように、一方、送信装置１１０と受信装置３３０との間の通信が切断された場合には、減算処理を行うように、編集要求を送信する。
【０２６５】
以上に記載した中継装置３２０も、例えば、図１０に示すような一般的なコンピュータ１８０で実現できる。
【０２６６】
例えば、記憶部１２１は、ＣＰＵ１８１がメモリ１８２又は外部記憶装置１８３を利用することにより実現可能であり、制御部３２２は、外部記憶装置１８３に記憶されている所定のプログラムをメモリ１８２にロードしてＣＰＵ１８１で実行することで実現可能であり、通信部１２３は、ＣＰＵ１８１が通信装置１８８を利用することで実現可能である。
【０２６７】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０２６８】
図２２は、受信装置３３０の概略図である。
【０２６９】
図示するように、本実施形態における受信装置３３０は、記憶部１３１と、制御部３３２と、入力部１３３と、出力部１３４と、複数の通信部３３５と、を備え、第二の実施形態と比較して、制御部３３２が異なっており、また、複数の通信部３３５が設けられている点で異なっているため、以下、これらの異なっている点に関連する事項について説明する。
【０２７０】
制御部３３２は、通信制御部３３２ａを備えており、本実施形態における通信制御部３３２ａは、複数の通信部３３５をポート番号で識別し、各々の通信部３３５を用いて各々の通信を行うようにしている。
【０２７１】
本実施形態における通信部３３５は複数設けられており、各々の通信部３３５には、各々別のポート番号が割り振られており、通信部３３５が各々別個に通信を行うことができるようにされている。
【０２７２】
以上に記載した受信装置３３０も、例えば、図１０に示すような一般的なコンピュータ１８０で実現できる。
【０２７３】
例えば、記憶部２３１は、ＣＰＵ１８１がメモリ１８２又は外部記憶装置１８３を利用することにより実現可能であり、制御部３３２は、外部記憶装置１８３に記憶されている所定のプログラムをメモリ１８２にロードしてＣＰＵ１８１で実行することで実現可能であり、入力部１３３は、ＣＰＵ１８１が入力装置１８６を利用することにより実現可能であり、出力部１３４は、ＣＰＵ１８１が出力装置１８７を利用することにより実現可能であり、通信部３３５は、ＣＰＵ１８１が通信装置１８８を利用することで実現可能である。
【０２７４】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０２７５】
図２３は、ステータス記憶装置３７０の概略図である。
【０２７６】
図示するように、ステータス記憶装置３７０は、記憶部３７１と、制御部３７２と、通信部２７３と、を備え、第二の実施形態と比較して、記憶部３７１及び制御部３７２が異なっているため、以下、これらの異なっている点に関連する事項について説明する。
【０２７７】
記憶部３７１は、ステータス情報記憶領域３７１ａを備える。
【０２７８】
ステータス情報記憶領域３７１ａには、各受信装置３３０の各々の通信部３３５毎のステータスを判定するためのステータス情報が記憶される。
【０２７９】
本実施形態においては、例えば、図２４（ステータステーブル３７４ａの概略図）に示すようなステータステーブル３７４ａが、受信装置３３０毎にステータス情報記憶領域２７１ａに記憶される。
【０２８０】
図示するように、ステータステーブル３７４ａは、機能Ｎｏ欄３７４ｂと、ポート番号欄３７４ｃと、用途欄３７４ｄと、最大接続数欄３７４ｅと、接続数欄３７４ｆと、を備える。
【０２８１】
機能Ｎｏ欄３７４ｂには、各々の受信装置３３０に設けられている通信部３３５を各々識別するための識別情報が格納される。ここで、本実施形態においては、各通信部３３５に連番で割り振られる番号を特定する情報が格納されるようになっている。
【０２８２】
ポート番号欄３７４ｃには、各々の通信部３３５のポート番号を特定する情報が格納される。
【０２８３】
用途欄３７４ｄには、ポート番号欄３７４ｃで特定されるポート番号を有する通信部３３５の用途を特定する情報が格納される。
【０２８４】
ここで、本実施形態においては、各々の受信装置３３０に設けられている複数の通信部３３５を、通常の通信を行う「通常用」の通信部と、緊急用の通信を行う「緊急用」の通信部と、に分けて使用するようにしており、各々の通信部３３５毎に、「通常用」又は「緊急用」の別を識別することのできる情報を本欄に格納するようにしている。
【０２８５】
最大接続数欄３７４ｅには、ポート番号欄３７４ｃで特定されるポート番号を有する通信部３３５に接続することのできる送信装置１１０の最大数を特定する情報が格納される。
【０２８６】
接続数欄３７４ｆには、ポート番号欄３７４ｃで特定されるポート番号を有する通信部３３５に接続している送信装置１１０の数を特定する情報が格納される。
【０２８７】
図２３に戻り、制御部３７２は、通信制御部２７２ａと、ステータス情報編集部３７２ｂと、を備え、第二の実施形態とは、ステータス情報編集部３７２ｂでの処理が異なっているため、以下この異なっている点に関連する事項について説明する。
【０２８８】
ステータス情報編集部３７２ｂは、通信制御部２７２ａの指示により、ポート番号の取得要求に含まれているＩＰアドレスで特定される受信装置２３０における通信可能なポート番号を特定する処理を行う。
【０２８９】
具体的には、ステータス情報編集部３７２ｂは、通信制御部２７２ａより入力されたポート番号の取得要求に含まれているＩＰアドレスに対応するステータステーブル３７４ａにおいて、当該ポート番号の取得要求に含まれている緊急性の判定結果が緊急でないことを示すものである場合には、用途欄３７４ｄに「通常用」と格納されているエントリの内から、最も接続数の割合（接続数÷最大接続数）が小さいものを特定し、特定したエントリのポート番号欄３７４ｃに格納されているポート番号を通信制御部２７２ａに出力する。
【０２９０】
一方、ステータス情報編集部３７２ｂは、ポート番号の取得要求に含まれている緊急性の判定結果が緊急であることを示すものである場合には、用途欄３７４ｄに「緊急用」と格納されているエントリの内から、最も接続数の割合が小さいものを特定し、特定したエントリのポート番号欄３７４ｃに格納されているポート番号を通信制御部２７２ａに出力する。
【０２９１】
以上に記載したステータス記憶装置３７０も、例えば、図１０に示すような一般的なコンピュータ１８０で実現できる。
【０２９２】
例えば、記憶部３７１は、ＣＰＵ１８１がメモリ１８２又は外部記憶装置１８３を利用することにより実現可能であり、制御部３７２は、外部記憶装置１８３に記憶されている所定のプログラムをメモリ１８２にロードしてＣＰＵ１８１で実行することで実現可能であり、通信部２７３は、ＣＰＵ１８１が通信装置１８８を利用することで実現可能である。
【０２９３】
この所定のプログラムは、読取装置１８５を介して記憶媒体１８４から、あるいは、通信装置１８８を介してネットワークから、外部記憶装置１８３にダウンロードされ、それから、メモリ１８２上にロードされてＣＰＵ１８１により実行されるようにしてもよい。また、読取装置１８５を介して記憶媒体１８４から、あるいは、通信装置１８８を介してネットワークから、メモリ１８２上に直接ロードされ、ＣＰＵ１８１により実行されるようにしてもよい。
【０２９４】
図２５は、以上のように構成される通信システム３００における処理を示すシーケンス図である。
【０２９５】
まず、送信装置１１０Ａの通信制御部１１２ａは、通信部１１５を介して、ＳＩＰのＩｎｖｉｔｅメッセージを中継装置３２０に送信する（Ｓ３０１０）。ここで、送信装置１１０Ａから送信するＩｎｖｉｔｅメッセージには、積荷情報生成部１１２ｂが生成した積荷情報テーブル１１６ｂを積荷情報として付加又は添付する。
【０２９６】
そして、このようなＩｎｖｉｔｅメッセージを受信した中継装置３２０は、呼制御部３２２ａの指示により、緊急性判定装置アクセス部２２２ｂは、送信装置１１０Ａより送信されてきたＩｎｖｉｔｅメッセージに付加又は添付されてきた積荷情報を付加又は添付した緊急性の判定要求を緊急性判定装置１４０に送信する（Ｓ３０１１）。
【０２９７】
このような緊急性の判定要求を受信した緊急性判定装置１４０では、緊急性判定部１４２ｂで、積荷情報に基づいて緊急性の判定を行い（Ｓ３０１２）、その判定結果を通信制御部１４２ａが通信部１４５を介して、中継装置３２０に返信する（Ｓ３０１３）。なお、緊急性判定部１４２ｂでの、緊急性の判定は、例えば、積荷情報における到着予想時刻が予め定められた日時よりも現在の日時に近く、かつ、積荷情報における荷物数が、予め定められた荷物数よりも多い場合に緊急であると判定するものとする。
【０２９８】
そして、判定結果を受信した中継装置３２０は、緊急性の判定結果と、受信装置３３０のＩＰアドレスと、を特定したポート番号の取得要求をステータス記憶装置３７０に送信する（Ｓ３０１４）。
【０２９９】
このようなステータスの判定要求を受信したステータス記憶装置３７０は、ステータス情報編集部３７２ｂが、ポート番号の取得要求に含まれているＩＰアドレスに対応するステータステーブル３７４ａをステータス情報記憶領域３７１ａから取得し、当該取得要求に含まれている判定結果に対応するポート番号を特定する（Ｓ３０１５）。
【０３００】
そして、ステータス情報編集部３７２ｂで特定されたポート番号を通信制御部３７２ａが、通信部２７３を介して、中継装置３２０に送信する（Ｓ３０１６）。
【０３０１】
そして、中継装置３２０の呼制御部３２２ａは、取得したポート番号で特定される通信部３３０に対して、Ｉｎｖｉｔｅメッセージを送信する（Ｓ３０１７）
このようなメッセージを受信した受信装置３３０は、接続応答をするために２００  ＯＫメッセージを中継装置３２０に送信し（Ｓ３０１８）、中継装置３２０は２００  ＯＫメッセージを送信装置１１０Ａに転送する（Ｓ３０１９）。
【０３０２】
このようなメッセージを受信した送信装置１１０Ａは、ＡＣＫメッセージを中継装置３２０を経由して（Ｓ３０２０）、受信装置３３０に送信し（Ｓ３０２１）、宛先情報記憶領域１１１ａに記憶されている宛先情報を受信装置３３０に送信する（Ｓ３０２２）。
【０３０３】
そして、宛先情報の通信を終了した場合には、送信装置１１０Ａは、中継装置３２０を介して（Ｓ３０２３）、Ｂｙｅメッセージを受信装置３３０に送信する（Ｓ３０２４）。
【０３０４】
このようなＢｙｅメッセージを受信した受信装置３３０は、中継装置３２０を介して（Ｓ３０２５）、２００  ＯＫメッセージを送信装置１１０Ａに送信する（Ｓ３０２６）。
【０３０５】
以上に記載した実施形態においては、中継装置３２０、緊急性判定装置１５０及びステータス記憶装置３７０は、ＬＡＮ１６１を介して情報の送受信を行うことができるようにされているが、このような態様に限定されるわけではなく、公知のインターフェースを介して、緊急性判定装置１５０及びステータス記憶装置３７０が受信装置３３０に接続され、情報の送受信を行うことができるようにすることも可能である。
【０３０６】
さらに、本実施形態においては、中継装置３２０、緊急性判定装置１５０及びステータス記憶装置３７０を別々の装置で構成したが、これらの装置で行っている処理の全てを一つ又は複数の装置にまとめることも可能である。
【０３０７】
また、以上に記載した実施形態では、ＳＩＰを用いて送信装置１１０と受信装置３３０との間の通信を確立するようにしているが、このようなプロトコルに限定されるわけではなく、積荷情報と宛先情報とを別々に送信することのできるものであればどのようなプロトコルを用いてもよい。
【０３０８】
さらに、本実施形態においては、中継装置３２０に緊急性判定装置１４０とステータス記憶装置３７０が接続されているが、このような態様に限定されず、例えば、緊急性判定装置１４０とステータス記憶装置３７０を受信装置３３０に接続して、受信装置３３０において使用する通信部３３５を選択するようにすることも可能である。
【図面の簡単な説明】
【０３０９】
【図１】本発明の第一の実施形態である通信システムの概略図。
【図２】送信装置の概略図。
【図３】宛先情報の概略図。
【図４】積荷情報テーブルの概略図。
【図５】中継装置の概略図。
【図６】受信装置の概略図。
【図７】緊急性判定装置の概略図。
【図８】Ｌｉｓｔ記憶装置の概略図。
【図９】ＣａｌｌＷａｉｔｉｎｇＬｉｓｔテーブルの概略図。
【図１０】コンピュータの概略図。
【図１１】通信システムにおいて第一の処理を行う際のシーケンス図。
【図１２】通信システムにおいて第二の処理を行う際のシーケンス図。
【図１３】第二の実施形態である通信システムの概略図。
【図１４】中継装置の概略図。
【図１５】受信装置の概略図。
【図１６】ステータス記憶装置の概略図。
【図１７】ステータステーブルの概略図。
【図１８】通信システムにおいて第一の処理を行う際のシーケンス図。
【図１９】通信システムにおいて第二の処理を行う際のシーケンス図。
【図２０】第三の実施形態である通信システムの概略図。
【図２１】中継装置の概略図。
【図２２】受信装置の概略図。
【図２３】ステータス記憶装置の概略図。
【図２４】ステータステーブルの概略図。
【図２５】通信システムにおける処理を示すシーケンス図。
【符号の説明】
【０３１０】
１００、２００、３００  通信システム
１１０  送信装置
１１１  記憶部
１１２  制御部
１１５  通信部
１２０、２２０、３２０  中継装置
１２１  記憶部
１２２、２２２、３２２  制御部
１２３  通信部
１３０、２３０、３３０  受信装置
１３１、２３１  記憶部
１３２、２３２、３３２  制御部
１３５  通信部
１４０  緊急性判定装置
１４１  記憶部
１４２  制御部
１４５  通信部
１５０  Ｌｉｓｔ記憶装置
１５１  記憶部
１５２  制御部
１５５  通信部
２７０、３７０  ステータス記憶装置
２７１、３７１  記憶部
２７２、３７２  制御部
２７３  通信部
【図１】
2008301416.tif 000003
【図２】
2008301416.tif 000004
【図３】
2008301416.tif 000005
【図４】
2008301416.tif 000006
【図５】
2008301416.tif 000007
【図６】
2008301416.tif 000008
【図７】
2008301416.tif 000009
【図８】
2008301416.tif 000010
【図９】
2008301416.tif 000011
【図１０】
2008301416.tif 000012
【図１１】
2008301416.tif 000013
【図１２】
2008301416.tif 000014
【図１３】
2008301416.tif 000015
【図１４】
2008301416.tif 000016
【図１５】
2008301416.tif 000017
【図１６】
2008301416.tif 000018
【図１７】
2008301416.tif 000019
【図１８】
2008301416.tif 000020
【図１９】
2008301416.tif 000021
【図２０】
2008301416.tif 000022
【図２１】
2008301416.tif 000023
【図２２】
2008301416.tif 000024
【図２３】
2008301416.tif 000025
【図２４】
2008301416.tif 000026
【図２５】
2008301416.tif 000027